(57)【特許請求の範囲】
【請求項１】
取り外し自在に装着されるバッテリパックからの電力により駆動可能な電子カメラにおいて、
前記バッテリパックが保有するバッテリ情報を読み出す読出手段と、
前記読出手段により読み出されたバッテリ情報から前記バッテリパックが内蔵するバッテリの種類を識別する識別手段と、
前記識別手段により識別されたバッテリの種類に対応した形式て前記バッテリパックのバッテリ残量を表示するバッテリ残量表示手段と、
を具備することを特徴とする電子カメラ。
【請求項２】
取り外し自在に装着されるバッテリパックからの電力により駆動可能な電子カメラにおいて、
前記バッテリパックから供給される電力の電圧値を検出する電圧検出手段と、
前記電圧検出手段により検出された電圧値から前記バッテリパックが内蔵するバッテリの種類を識別する識別手段と、
前記識別手段により識別されたバッテリの種類に対応した形式で前記バッテリパックのバッテリ残量を表示するバッテリ残量表示手段と、
を具備することを特徴とする電子カメラ。
【請求項３】
取り外し自在に装着されるバッテリパックからの電力により駆動可能な電子カメラにおいて、
前記バッテリパックが保有するバッテリ情報を読み出す読出手段と、
前記バッテリパックから供給される電力の電圧値を検出する電圧検出手段と、
前記読出手段によるバッテリ情報の読み出しが成功したときに、その読み出されたバッテリ情報から前記バッテリパックが内蔵するバッテリの種類を識別し、前記読出手段によるバッテリ情報の読み出しが失敗したときに、前記電圧検出手段により検出された電圧値から前記バッテリパックが内蔵するバッテリの種類を識別する識別手段と、
前記識別手段により識別されたバッテリの種類に対応した形式で前記バッテリパックのバッテリ残量を表示するバッテリ残量表示手段と、
を具備することを特徴とする電子カメラ。
【請求項４】
取り外し自在に装着されるバッテリパックからの電力により駆動可能な電子カメラのバッテリ残量表示方法であって、
前記バッテリパックが保有するバッテリ情報を読み出すステップと、
前記読み出されたバッテリ情報から前記バッテリパックが内蔵するバッテリの種類を識別するステップと、
前記識別されたバッテリの種類に対応した形式で前記バッテリパックのバッテリ残量を表示するステップと、
を有することを特徴とするバッテリ残量表示方法。
【請求項５】
取り外し自在に装着されるバッテリパックからの電力により駆動可能な電子カメラのバッテリ残量表示方法であって、
前記バッテリパックから供給される電力の電圧値を検出するステップと、
前記検出された電圧値から前記バッテリパックが内蔵するバッテリの種類を識別するステップと、
前記識別されたバッテリの種類に対応した形式で前記バッテリパックのバッテリ残量を表示するステップと、
を有することを特徴とするバッテリ残量表示方法。
【請求項６】
取り外し自在に装着されるバッテリパックからの電力により駆動可能な電子カメラのバッテリ残量表示方法であって、
前記バッテリパックが保有するバッテリ情報を読み出すステップと、
前記バッテリ情報の読み出しが成功したときに、その読み出されたバッテリ情報から前記バッテリパックが内蔵するバッテリの種類を識別し、前記バッテリ情報の読み出しが失敗したときに、前記バッテリパックから供給される電力の電圧値を検出し、この検出された電圧値から前記バッテリパックが内蔵するバッテリの種類を識別するステップと、
前記識別されたバッテリの種類に対応した形式で前記バッテリパックのバッテリ残量を表示するステップと、
を有することを特徴とするバッテリ残量表示方法。
【発明の詳細な説明】
【０００１】
【発明の属する技術分野】
この発明は、バッテリ駆動可能な電子カメラおよびこの電子カメラのバッテリ残量表示方法に係り、特に、バッテリの種類に応じた適切なバッテリ残量表示を実現する電子カメラおよびバッテリ残量表示方法に関する。
【０００２】
【従来の技術】
近年、被写体像を撮像光学系により固体撮像素子、たとえばＣＣＤ２次元イメージセンサ上に結像して電気信号に変換し、これにより得られた静止画像の画像データを半導体メモリや磁気ディスクのような記録媒体に記録する、いわゆる電子カメラが広く普及しつつある。
【０００３】
また、この種の電子カメラは、取り外し自在に装着されるバッテリパックからの電力により駆動可能に構成されている。
【０００４】
【発明が解決しようとする課題】
ところで、この種の電子カメラでは、バッテリパックからの電力により駆動する際、そのバッテリ残量をユーザに提示している。一方、最近では、アルカリ電池、リチウムイオン電池、リチウムポリマー電池など、バッテリパックに内蔵される電池も種々存在している。したがって、バッテリ残量を大まかにしか把握できないような種類の電池を内蔵するバッテリパックが装着された場合と、ほぼ正確にバッテリ残量を把握できるような種類の電池を内蔵するバッテリパックが装着された場合とで、つまり、内蔵される電池の特性に応じて、そのバッテリ残量の表示方法を変えることが好ましい。より具体的には、バッテリ残量を大まかにしか把握できないような種類の電池を内蔵するバッテリパックが装着された場合に比べて、ほぼ正確にバッテリ残量を把握できるような種類の電池を内蔵するバッテリパックが装着された場合には、よりきめ細かなバッテリ残量表示を行うことが好ましい。
【０００５】
しかしながら、従来の電子カメラでは、いずれの種類の電池が内蔵されたバッテリパックを装着しているかに拘わらずに単一の表示方法にてバッテリ残量が提示されており、電池の特性に応じた適切なバッテリ残量表示がなされているとはいえなかった。
【０００６】
この発明はこのような事情を考慮してなされたものであり、バッテリの種類に応じた適切なバッテリ残量表示を実現する電子カメラおよびバッテリ残量表示方法を提供することを目的とする。
【０００７】
【課題を解決するための手段】
前述した目的を達成するために、この発明の電子カメラは、バッテリパックが保有するバッテリ情報から内蔵されるバッテリの種類を識別し、この識別結果に応じてバッテリ残量表示の表示形式を決定するようにしたものであり、そのために、取り外し自在に装着されるバッテリパックからの電力により駆動可能な電子カメラにおいて、前記バッテリパックが保有するバッテリ情報を読み出す読出手段と、前記読出手段により読み出されたバッテリ情報から前記バッテリパックが内蔵するバッテリの種類を識別する識別手段と、前記識別手段により識別されたバッテリの種類に対応した形式で前記バッテリパックのバッテリ残量を表示するバッテリ残量表示手段とを具備することを特徴とする。
【０００８】
この発明の電子カメラにおいては、バッテリ残量を大まかにしか把握できないようなバッテリパックが装着された場合に比べて、ほぼ正確にバッテリ残量を把握できるようなバッテリパックが装着された場合によりきめ細かなバッテリ残量表示を行うことなどが可能となる。
【０００９】
また、この発明の電子カメラは、バッテリパックから供給される電力の電圧値から内蔵されるバッッテリの種類を識別し、この識別結果に応じてバッテリ残量表示の表示形式を決定するようにしたものであり、そのために、取り外し自在に装着されるバッテリパックからの電力により駆動可能な電子カメラにおいて、前記バッテリパックから供給される電力の電圧値を検出する電圧検出手段と、前記電圧検出手段により検出された電圧値から前記バッテリパックが内蔵するバッテリの種類を識別する識別手段と、前記識別手段により識別されたバッテリの種類に対応した形式で前記バッテリパックのバッテリ残量を表示するバッテリ残量表示手段とを具備することを特徴とする。
【００１０】
この発明の電子カメラにおいても、前述と同様、バッテリの種類に応じた適切なバッテリ残量表示が実現されることになる。
【００１１】
また、この発明の電子カメラは、まず、バッテリパックが保有するバッテリ情報の読み出しを実行し、この読み出しが成功した場合には、その読み出したバッテリ情報から内蔵されるバッテリの種類を識別し、一方、この読み出しが失敗した場合には、バッテリパックから供給される電力の電圧値から内蔵されるバッテリの種類を識別し、次に、この識別結果に応じてバッテリ残量表示の表示形式を決定するようにしたものであり、そのために、取り外し自在に装着されるバッテリパックからの電力により駆動可能な電子カメラにおいて、前記バッテリパックが保有するバッテリ情報を読み出す読出手段と、前記バッテリパックから供給される電力の電圧値を検出する電圧検出手段と、前記読出手段によるバッテリ情報の読み出しが成功したときに、その読み出されたバッテリ情報から前記バッテリパックが内蔵するバッテリの種類を識別し、前記読出手段によるバッテリ情報の読み出しが失敗したときに、前記電圧検出手段により検出された電圧値から前記バッテリパックが内蔵するバッテリの種類を識別する識別手段と、前記識別手段により識別されたバッテリの種類に対応した形式で前記バッテリパックのバッテリ残量を表示するバッテリ残量表示手段とを具備することを特徴とする。
【００１２】
この発明の電子カメラにおいては、バッテリ情報を保有するバッテリパックおよびバッテリ情報を保有しないバッテリパックのいずれが装着されても、前述と同様、バッテリの種類に応じたより適切なバッテリ残量表示が実現されることになる。
【００１３】
【発明の実施の形態】
以下、図面を参照してこの発明の実施形態を説明する。
【００１４】
図１は、この発明の一実施形態に係る電子カメラの外観図である。図１に示すように、この電子カメラは、大きく分けて、カメラ本体１とレンズ鏡筒２とからなる。カメラ本体１には、光学ファインダ３のほか、操作部として、レリーズボタン４、電源ボタン５、撮影モードボタン６および再生モードボタン７が設けられ、さらに、表示部として、カラー液晶ディスプレイ（画像用ＬＣＤ）２３とモノクローム液晶ディスプレイ（コントロールパネル用ＬＣＤ）２７とが設けられる。また、この電子カメラは、その駆動に必要な電力を供給するためのバッテリパック（後述するバッテリパック５０）が、底面より取り外し自在に装着されるようになっている。
【００１５】
次に、図２を用いてこの実施形態に係る電子カメラの内部の詳細な構成を説明する。
【００１６】
図２において、被写体光はレンズ鏡筒２に設けられた撮像レンズ１１を通過した後、絞り１２により光量が制御される。撮像レンズ１１はＡＦモータ１３により駆動され、絞り１２は絞りモータ１４により駆動される。撮像レンズ１１および絞り１２を通過した被写体光はカメラ本体１内に導かれ、カラー固体撮像素子であるＣＣＤ２次元カラーイメージセンサ（以下、単にＣＣＤという）１５に入射する。これによって、ＣＣＤ１５の撮像面上に被写体像が結像される。
【００１７】
ＣＣＤ１５は、光電変換を行なう複数の画素を２次元のマトリクス状に配列して撮像面を構成し、さらに撮像面にカラーフィルタを配置したものであり、ＣＣＤドライバ１６によって駆動制御されることにより、撮像面に結像された被写体像に対応した信号電荷を蓄積する。撮像面に蓄積された信号電荷は、画素信号と呼ばれる電気信号としてＣＣＤ１５から読み出される。
【００１８】
ＣＣＤ１５から読み出された画素信号は、ＣＤＳ（相関二重サンプリング）その他の処理が施され、Ａ／Ｄ変換器１７によりデジタル信号に変換された後、ＡＥ（自動露出）処理部１８、ＡＦ（自動焦点調整）処理部１９および画像処理部２０に入力される。
【００１９】
ＡＥ処理部１８では、Ａ／Ｄ変換器１７より出力されるデジタル化された画素信号を受け、各画素からの画素信号の累積加算を主体とする演算処理を行ない、この累積加算値に基づき被写体の明るさに応じたＡＥ評価値を求める。
【００２０】
ＡＦ処理部１９では、Ａ／Ｄ変換器１７より出力されるデジタル化された画素信号を受け、たとえば１画面分の画素信号の高周波成分をハイパスフィルタにより抽出し、これに対して累積加算等の演算処理を行なうことによって高域側の輪郭成分量に対応するＡＦ評価値を算出する。
【００２１】
画像処理部２０では、画素信号に対してオートホワイトバランス、輝度／色信号生成、ガンマ処理等が施されることにより、所定フォーマットのカラー画像信号が生成される。
【００２２】
画像処理部２０によって生成されたカラー画像信号は、たとえばＤＲＡＭからなるバッファメモリ２１に一時的に記憶される。バッファメモリ２１から読み出されるカラー画像信号は表示処理部２２に導かれ、ここで表示出力に適した形態に変換された後、ＴＦＴ方式などのカラー液晶ディスプレイ（画像用ＬＣＤ）２３に供給され、画像として表示される。
【００２３】
バッファメモリ２１にはさらに圧縮／伸長処理部２４が接続され、この圧縮／伸長処理部２４には記録／再生処理部２５が接続されている。記録／再生処理部２５は、記録媒体２６に対して画像データを記録したり、記録媒体２６から画像データを再生する処理を行なう。記録媒体２６は、たとえばカード型フラッシュメモリのような半導体メモリにより構成されたメモリカードが一般的に使用されるが、メモリカードに限られるものではなく、たとえばハードディスクやフロッピーディスクのような磁気記録媒体等、種々の形態のものを使用できる。
【００２４】
圧縮／伸長処理部２４は、バッファメモリ２１に記憶された画像信号を読み出して圧縮（符号化）処理を行なうことにより、記録媒体２６への記録に適した形態とするための圧縮処理部と、記録媒体２６に記録された画像データを読み出して伸長（復号化）処理を行なう伸長処理部とからなる。この圧縮処理の方式としては、たとえばＪＰＥＧ方式が用いられるが、これに限られるものではない。再生時は、伸長処理された画像信号は、バッファメモリ２１に一時記憶され、表示処理部２２を経て、カラー液晶ディスプレイ（画像用ＬＣＤ）２３で適宜表示される。
【００２５】
モノクローム液晶ディスプレイ（コントロールパネル用ＬＣＤ）２７は、バッテリパック５０の残量に関する情報（バッテリ残量情報）を表示するためのものであり、システムコントローラ２８から供給される制御信号に応じて、図形や数値を表示する。そして、この発明の電子カメラは、取り外し自在に装着されるバッテリパック５０に内蔵されるバッテリの種類によって、このモノクローム液晶ディスプレイ（コントロール情報ＬＣＤ）２７に表示するバッテリ残量情報の形式を切り替える点を特徴としており、この点については後述する。
【００２６】
システムコントローラ２８は、ＡＥ処理部１８およびＡＦ処理部１９の処理結果と操作部３０からの指令に基づいて各部を制御するものであり、ＣＰＵを用いて構成される。より具体的には、システムコントローラ２８は、ＣＣＤドライバ１６、画像処理部２０、バッファメモリ２１、表示処理部２２、圧縮／伸長処理部２４、記録／再生処理部２５、モノクローム液晶ディスプレイ（コントロールパネル用ＬＣＤ）２７、ＡＦモータ１３および絞りモータ１４を駆動するモータドライバ４１，４２の制御を行なう。
【００２７】
すなわち、システムコントローラ２８は、ＡＥ処理部１８で得られたＡＥ評価値に基づいてモータドライバ４２を制御し、絞りモータ１４を介して絞り１２を制御することで光量を制御したり、さらにはＣＣＤドライバ１６を介してＣＣＤ１５の電荷蓄積時間を制御することにより、自動露出（ＡＥ）処理を行なう。また、システムコントローラ２８は、ＡＦ処理部１９で得られたＡＦ評価値に基づいてモータドライバ４１を制御し、ＡＦモータ１３を介して撮像レンズ１１を光軸方向に移動させて自動焦点調整（ＡＦ）処理を行なう。
【００２８】
操作部３０は、ユーザによる操作に基づいて各種の動作を行なわせるための指令信号を発生してシステムコントローラ２８に伝達する。より具体的には、操作部３０には、電源オン／オフの切り替えを指示するための電源スイッチ３１、撮影指示のためのレリーズスイッチ３２、動作モードを撮影モードに切り換える旨を指示するための撮影モードスイッチ３３および動作モードを再生モードに切り換える旨を指示するための再生モードスイッチ３４が設けられる。図１との対応を説明すると、電源スイッチ３１は電源ボタン５の押下により、レリーズスイッチ３２レリーズボタン４の押下により、撮影モードスイッチ３３は撮影モードボタン６の押下により、再生モードスイッチ３４は再生モードボタン７の押下により、それぞれオン状態となるスイッチである。
【００２９】
また、システムコントローラ２８は、これらの各種の制御のほか、前述したように、取り外し自在に装着されるバッテリパック５０に内蔵されるバッテリの種類によって、このモノクローム液晶ディスプレイ（コントロール情報ＬＣＤ）２７に表示するバッテリ残量情報の形式を切り替えるといった、この発明に特有のバッテリ残量表示制御を行なう機能を有する。以下、このバッテリ残量表示制御について詳説する。
【００３０】
前述したように、この電子カメラは、バッテリパック５０が底面より取り外し自在に装着される。そして、システムコントローラ２８は、この装着されたバッテリパック５０がメモリ５１を備えることを予定して、このメモリ５１に保有されたバッテリ情報の読み出しを試みる。このバッテリ情報には、バッテリパック５０に内蔵されるバッテリの種類を示す情報を含んでおり、メモリ５１を備えるタイプのバッテリパック５０が装着された場合、システムコントローラ２８は、この読み出したバッテリ情報により、バッテリパック５０に内蔵されたバッテリの種類を識別する。
【００３１】
一方、メモリ５１を備えないタイプのバッテリパック５０が装着された場合には、このバッテリ情報の読み出しは失敗する。この場合、システムコントローラ２８は、続いてバッテリパック５０から供給される電力の電圧値を検出し、この検出した電圧値と予め与えられるバッテリ特性情報とから、バッテリパック５０に内蔵されたバッテリの種類を識別する。
【００３２】
そして、システムコントローラ２８は、このように識別したバッテリの種類に対応した形式で、たとえば図３乃至図５に示すように、バッテリ残量情報を表示制御する。
【００３３】
図３は、バッテリパック５０に内蔵されるバッテリがアルカリ電池である場合の表示形式（ａ）と放電特性において設定されるしきい値（ｂ）とを示した概念図である。ここで、縦軸は電圧を、横軸は時間をそれぞれ示す。
【００３４】
アルカリ電池は、バッテリ残量を大まかにしか把握できないタイプの電池であるため、図３（ｂ）に示すように、しきい値をＡ点およびＢ点の２箇所のみ設定し、これにしたがい、モノクローム液晶ディスプレイ（コントロールパネル用ＬＣＤ）２７に表示するバッテリ残量情報も、図３（ａ）に示すように、ＡブロックおよびＢブロックのみの比較的大まかな図形で表示する。
【００３５】
つまり、バッテリ残量がＡ点を越える状態ではＡブロックおよびＢブロック双方を表示し、Ａ点以下であってＢ点を越える状態ではＢブロックのみを表示し、Ｂ点以下の状態ではＡブロックおよびＢブロックのいずれも表示しない。
【００３６】
また、図４は、バッテリパック５０に内蔵されるバッテリがリチウムイオン電池である場合の表示形式（ａ）と設定されるしきい値（ｂ）とを示した概念図である。
【００３７】
リチウムイオン電池は、前述したアルカリ電池よりは細かくバッテリ残量を把握できるため、図４（ｂ）に示すように、しきい値をアルカリ電池よりも３箇所多いＡ点〜Ｅ点の５箇所設定し、これにしたがい、モノクローム液晶ディスプレイ（コントロールパネル用ＬＣＤ）２７に表示するバッテリ残量情報も、図４（ａ）に示すように、Ａブロック〜Ｅブロックまでと比較的細やかな図形で表示する。
【００３８】
つまり、バッテリ残量がＡ点を越える状態ではＡブロック〜Ｅブロックすべてを表示し、以下、同様に、Ａ点以下であってＢ点を越える状態ではＢブロック〜Ｅブロック、Ｂ点以下であってＣ点を越える状態ではＣブロック〜Ｅブロック、Ｃ点以下であってＤ点を越える状態ではＤブロックおよびＥブロック、Ｄ点以下であってＥ点を越える状態ではＥブロックのみ、Ｅ点以下の状態ではＡブロック〜Ｅブロックのいずれも表示しない。
【００３９】
さらに、図５は、バッテリパック５０に内蔵されるバッテリがリチウムポリマー電池である場合の表示形式（ａ）と設定されるしきい値（ｂ）とを示した概念図である。
【００４０】
リチウムポリマー電池は、前述したリチウムイオン電池よりさらに細かく、ほぼ正確にバッテリ残量を把握できるタイプの電池であるため、図５（ｂ）に示すように、しきい値をリチウムイオン電池よりもさらに多く設定し、これにしたがい、モノクローム液晶ディスプレイ（コントロールパネル用ＬＣＤ）２７に表示するバッテリ残量情報も、図５（ａ）に示すように、前述したブロックによる図形表示に代えて数値表示を実行する。
【００４１】
図６は、この実施形態の電子カメラにおけるバッテリ残量表示制御の動作手順を説明するためのフローチャートである。なお、これらの動作の制御はシステムコントローラ２８によって行なわれる。
【００４２】
システムコントローラ２８は、まず、装着されたバッテリパック５０がメモリ５１を備えることを予定して、このメモリ５１に保有されたバッテリ情報の読み出しを試みる（ステップＳ１）。
【００４３】
この読み出しが成功すると（ステップＳ２のＹＥＳ）、システムコントローラ２８は、この読み出したバッテリ情報によりバッテリパック５０に内蔵されたバッテリの種類を識別する（ステップＳ５）。
【００４４】
一方、読み出しが失敗した場合（ステップＳ２のＮＯ）、システムコントローラ２８は、バッテリパック５０から供給される電力の電圧値を検出し（ステップＳ３）、この検出した電圧値と予め与えられるバッテリ特性情報とからバッテリパック５０に内蔵されたバッテリの種類を識別する（ステップＳ４）。
【００４５】
そして、システムコントローラ２８は、このように識別したバッテリの種類に対応した形式でバッテリ残量情報を表示制御する（ステップＳ６）。
【００４６】
このように、この電子カメラでは、バッテリ情報を保有するバッテリパックおよびバッテリ情報を保有しないバッテリパックのいずれが装着されても、その装着されたバッテリの種類に応じたより適切なバッテリ残量表示が実現されることになる。
【００４７】
【発明の効果】
以上詳述したように、この発明の電子カメラによれば、バッテリパックが保有するバッテリ情報から内蔵されるバッテリの種類を識別し、この識別結果に応じてバッテリ残量表示の表示形式を決定するようにしたことから、バッテリ残量を大まかにしか把握できないようなバッテリパックが装着された場合に比べて、ほぼ正確にバッテリ残量を把握できるようなバッテリパックが装着された場合によりきめ細かなバッテリ残量表示を行うことなどが可能となる。
【００４８】
また、バッテリパックから供給される電力の電圧値から内蔵されるバッッテリの種類を識別し、この識別結果に応じてバッテリ残量表示の表示形式を決定するようにしたことから、バッテリの種類に応じた適切なバッテリ残量表示が実現されることになる。
【００４９】
また、まず、バッテリパックが保有するバッテリ情報の読み出しを実行し、この読み出しが成功した場合には、その読み出したバッテリ情報から内蔵されるバッテリの種類を識別し、一方、この読み出しが失敗した場合には、バッテリパックから供給される電力の電圧値から内蔵されるバッテリの種類を識別し、次に、この識別結果に応じてバッテリ残量表示の表示形式を決定するようにしたことから、バッテリ情報を保有するバッテリパックおよびバッテリ情報を保有しないバッテリパックのいずれが装着されても、前述と同様、バッテリの種類に応じたより適切なバッテリ残量表示が実現されることになる。
【図面の簡単な説明】
【図１】この発明の一実施形態に係る電子カメラの外観図。
【図２】同実施形態の電子カメラの詳細な構成を示すブロック図。
【図３】同実施形態のバッテリパックに内蔵されるバッテリがアルカリ電池である場合の表示形式と設定されるしきい値とを示した概念図。
【図４】同実施形態のバッテリパックに内蔵されるバッテリがリチウムイオン電池である場合の表示形式と放電特性において設定されるしきい値とを示した概念図。
【図５】同実施形態のバッテリパックに内蔵されるバッテリがリチウムポリマー電池である場合の表示形式と設定されるしきい値とを示した概念図。
【図６】同実施形態の電子カメラにおけるバッテリ残量表示制御の動作手順を説明するためのフローチャート。
【符号の説明】
１…カメラ本体
２…レンズ鏡筒
３…光学ファインダ
４…レリースボタン
５…電源ボタン
６…撮影モードボタン
７…再生モードボタン
１１…撮像レンズ
１２…絞り
１３…ＡＦモータ
１４…絞りモータ
１５…ＣＣＤ（固体撮像素子）
１６…ＣＣＤドライバ
１７…Ａ／Ｄ変換器
１８…自動露光処理部
１９…自動焦点調整処理部
２０…画像処理部
２１…バッファメモリ
２２…表示処理部
２３…カラー液晶ディスプレイ（画像用ＬＣＤ）
２４…圧縮／伸長処理部
２５…記録／再生処理部
２６…記録媒体
２７…モノクローム液晶ディスプレイ（コントロールパネル用ＬＣＤ）
２８…システムコントローラ
３０…操作部
３１…電源スイッチ
３２…レリーズスイッチ
３３…撮影モードスイッチ
３４…再生モードスイッチ
４１，４２…モータドライバ
５０…バッテリパック
５１…メモリ
【図１】
0004253417.tif 000002
【図２】
0004253417.tif 000003
【図３】
0004253417.tif 000004
【図４】
0004253417.tif 000005
【図５】
0004253417.tif 000006
【図６】
0004253417.tif 000007